(57)【要約】【課題】表示装置の駆動回路を提供する。【解決手段】各々の画素における発光装置を駆動するのに使用される駆動回路において、前記発光装置に結合され、前記発光装置に選択的に駆動電流を供給する発光装置駆動ユニットと、前記発光装置駆動ユニットに結合され、前記発光装置駆動ユニットが前記発光装置に駆動電流を供給するとすぐに、制御信号の電圧レベルにしたがって前記発光装置を放電する放電ユニットとを具える。【選択図】図３
2004102294.tif 000002
【特許請求の範囲】
【請求項１】
　複数の画素を有する表示装置の駆動回路であって、各々の画素における発光装置を駆動するのに使用される駆動回路において、
　前記発光装置に結合され、前記発光装置に選択的に駆動電流を供給する発光装置駆動ユニットと、
　前記発光装置駆動ユニットに結合され、前記発光装置駆動ユニットが前記発光装置に駆動電流を供給するとすぐに、制御信号の電圧レベルにしたがって前記発光装置を放電する放電ユニットとを具えることを特徴とする駆動回路。
【請求項２】
　請求項１に記載の駆動回路において、前記発光装置駆動ユニットに結合され、スキャン信号及びデータ信号を受け、前記スキャン信号及びデータ信号が論理レベル‘１’にある場合、前記発光装置駆動ユニットが前記発光装置に駆動電流を供給できるようにする発光装置選択ユニットをさらに具えることを特徴とする駆動回路。
【請求項３】
　請求項２に記載の駆動回路において、前記制御信号が次の画素からのスキャン信号を使用することを特徴とする駆動回路。
【請求項４】
　請求項３に記載の駆動回路において、前記放電ユニットが、前記次の画素におけるスキャン信号が論理レベル‘１’すなわち高電圧レベルにある場合、前記発光装置を放電することを特徴とする駆動回路。
【請求項５】
　請求項１に記載の駆動回路において、前記放電ユニットを接地電位に結合し、電荷が前記発光装置からグランドに放電されるようにしたことを特徴とする駆動回路。
【請求項６】
　請求項１に記載の駆動回路において、前記放電ユニットを負電圧に結合し、電荷が前記発光装置から負電圧端子に放電されるようにしたことを特徴とする駆動回路。
【請求項７】
　請求項１に記載の駆動回路において、前記放電ユニットをトランジスタとし、前記トランジスタを、前記制御信号の電圧レベルにしたがってスイッチオンし、前記発光装置を放電することを特徴とする駆動回路。
【請求項８】
　請求項７に記載の駆動回路において、前記トランジスタのゲート端子を制御信号端子に接続し、前記トランジスタのドレイン端子を接地電位に接続し、前記トランジスタが前記制御信号によってターンオンした場合、前記発光装置における電荷がグランドに放電するようにしたことを特徴とする駆動回路。
【請求項９】
　請求項７に記載の駆動回路において、前記トランジスタのゲート端子を制御信号端子に接続し、前記トランジスタのドレイン端子を負電圧に接続し、前記トランジスタが前記制御信号によってターンオンした場合、前記発光装置における電荷が負電圧端子に放電するようにしたことを特徴とする駆動回路。
【請求項１０】
　請求項１に記載の駆動回路において、前記発光装置が有機発光ダイオード（ＯＬＥＤ）を含むことを特徴とする駆動回路。
【請求項１１】
　請求項１に記載の駆動回路において、前記発光装置が分子発光ダイオードを含むことを特徴とする駆動回路。
【請求項１２】
　複数の画素を有する表示装置であって、各々の画素が各々の画素内の発光装置を駆動する駆動回路を有する表示装置において、前記駆動回路が、
　　前記発光装置に結合され、前記発光装置に選択的に駆動電流を供給する発光装置駆動ユニットと、
　前記発光装置駆動ユニットに結合され、前記発光装置駆動ユニットが前記発光装置に駆動電流を供給するとすぐに、制御信号の電圧レベルにしたがって前記発光装置を放電する放電ユニットとを具えることを特徴とする表示装置。
【請求項１３】
　請求項１２に記載の表示装置において、前記発光装置駆動ユニットに結合され、スキャン信号及びデータ信号を受け、前記スキャン信号及びデータ信号が論理レベル‘１’にある場合、前記発光装置駆動ユニットが前記発光装置に駆動電流を供給できるようにする発光装置選択ユニットをさらに具えることを特徴とする表示装置。
【請求項１４】
　請求項１３に記載の表示装置において、前記制御信号が次の画素からのスキャン信号を使用することを特徴とする表示装置。
【請求項１５】
　請求項１４に記載の表示装置において、前記駆動回路内の放電ユニットが、前記次の画素におけるスキャン信号が論理レベル‘１’すなわち高電圧レベルにある場合、前記発光装置を放電することを特徴とする表示装置。
【請求項１６】
　請求項１２に記載の表示装置において、前記駆動回路内の放電ユニットを接地電位に結合し、電荷が前記発光装置からグランドに放電されるようにしたことを特徴とする表示装置。
【請求項１７】
　請求項１２に記載の表示装置において、前記駆動回路内の放電ユニットを負電圧に結合し、電荷が前記発光装置から負電圧端子に放電されるようにしたことを特徴とする表示装置。
【請求項１８】
　表示装置の駆動方法であって、前記表示装置が複数の画素を有し、各々の画素内の発光装置を駆動する駆動方法において、
　前記発光装置の１つに選択的に駆動電流を供給するステップと、
　前記発光装置が駆動電流によって駆動される間、制御信号の電圧レベルにしたがって前記発光装置を放電するステップとを含むことを特徴とする駆動方法。
【請求項１９】
　請求項１８に記載の駆動方法において、前記発光装置の１つに選択的に駆動電流を供給するステップが、前記表示装置に送られたスキャン信号及びデータ信号が論理レベル‘１’すなわち高電圧レベルにある場合、前記発光装置に駆動電流を供給するステップを含むことを特徴とする駆動方法。
【請求項２０】
　請求項１９に記載の駆動方法において、前記制御信号を、前記表示装置における次の画素のスキャン信号によって供給することを特徴とする駆動方法。
【発明の詳細な説明】
【技術分野】
【０００１】
　本発明は、表示装置の駆動回路に関する。より特に、本発明は、発光装置の駆動電圧における上昇を防ぐことができる表示装置の駆動回路及び駆動方法に関する。
【背景技術】
【０００２】
　２０世紀の初期、動的な画像は共につながれ、映画を形成した。陰極線管（ＣＲＴ）の発明後まもなく、民間放送はテレビジョンの大衆化を導いた。最近の数１０年間で、陰極線管は、コンピュータ産業によって、人間とパーソナルコンピュータとの間のインタフェースとしても採用されてきた。大部分のデスクトップモニタは、ＣＲＴと同一の動作原理を有する。しかしながら、ＣＲＴ内の電子銃設計による放射線の危険やかさばることが、フラットパネルディスプレイのようないくつかの他の新規な表示装置の発明を誘発した。
【０００３】
　多くの形式のフラットパネルディスプレイが存在する。最も一般的な形式のフラットパネルディスプレイは、液晶ディスプレイ（ＬＣＤ）、フィールドエミッションディスプレイ（ＦＥＤ）、有機発光ダイオード（ＯＬＥＤ）及びプラズマディスプレイパネル（ＰＤＰ）を含む。有機エレクトロルミネッセントディスプレイ（ＯＥＬＤ）としても知られる有機発光ダイオード（ＯＬＥＤ）は、自己照明形式の表示装置である。ＯＬＥＤは、直流低電圧駆動され、高い視感度と、高い動作効率と、高いコントラストと、小さな重量とを有する。さらに、白色に対して３原色、赤色（Ｒ）、緑色（Ｇ）及び青色（Ｂ）から多くの色調を発生することができる。したがって、ＯＬＥＤは、しばしば、最も有望な発展的な可能性を有するフラットパネルディスプレイと考えられる。ＬＣＤのような軽い重量及び高い解像度と、ＬＥＤのような自己照明と、素早い応答性と、エネルギーを節約する低温ライトの製造とを除いて、ＯＬＥＤの利点は、広い視野角と、美しいカラーコントラストと、低い製造コストも含む。したがって、ＯＬＥＤは、ＬＣＤまたはインジケータパネルのバック照明、携帯電話、ディジタルカメラ、パーソナルディジタルアシスタントを含む多くの用途を有する。
【０００４】
　駆動方法にしたがって、ＯＬＥＤを、パッシブマトリックス駆動型及びアクティブマトリックス駆動型に分けることができる。パッシブ駆動ＯＬＥＤの利点は、構造の単純さと、ドライバとして薄膜トランジスタ（ＴＦＴ）を使用しないこととを含む。したがって、パッシブ駆動ＯＬＥＤの製造コストは比較的低い。しかしながら、パッシブＯＬＥＤは、より低い画像解像度を有し、多量のエネルギーを消費する。したがって、パッシブＯＬＥＤを使用して大きい表示パネルを製造した場合、多すぎるエネルギーを消費し、使用可能時間が短くなり、表示明瞭度が落ちる。他方において、アクティブマトリックス駆動ＯＬＥＤは、製造するのにわずかにより費用がかかるが、アクティブＯＬＥＤ設計を用いて、より大きい視野角と、より高い視感度と、信号に対するより素早い応答性とを有する、より大きいディスプレイを製造することができる。
【０００５】
　フラットパネルディスプレイを、駆動形式にしたがって、電圧駆動型又は電流駆動型にさらに分類することができる。一般に、電圧駆動型は、通常はＴＦＴ−ＬＣＤに用いられる。異なった電圧を種々のデータラインに用い、異なったレベルのグレイスケールを発生し、結果として、完全なカラー化が得られる。電圧駆動型ＴＦＴ−ＬＣＤは、かなりの時間開発されてきたため、ＴＦＴ−ＬＣＤは、かなり確実に動作し、製造コストが低い。電流駆動型は、ＯＬＥＤディスプレイにしばしば用いられる。異なった電流をデータラインに供給し、異なったグレイスケールを発生し、結果として、完全なカラー化を得る。しかしながら、電流を、画素を駆動する媒体として使用する場合、新たな回路及びＩＣ設計を必要とする。このような設計及び開発コストは高いため、ＴＦＴ−ＬＣＤを駆動する電圧駆動回路を、ＯＬＥＤを駆動するのにどうにかして使用すると、コストが相当減少する。
【０００６】
　図１は、慣例的な表示装置内の画素の駆動回路を示す図である。図１に示すように、画素１００は、駆動回路１１０及び発光装置（ＯＬＥＤ）１２０を含む。前記駆動回路は、第１薄膜トランジスタ（ＴＦＴ１）と、キャパシタ（Ｃ）と、第２薄膜トランジスタ（ＴＦＴ２）とを含む。トランジスタＴＦＴ２は、ＯＬＥＤ１２０を駆動して発光させる電流を発生する駆動薄膜トランジスタである。トランジスタＴＦＴ１のドレイン端子をデータ電圧（Ｖｄａｔａ）端子に結合し、トランジスタＴＦＴ１のゲート端子をスキャン電圧（Ｖｓｃａｎ）端子に結合し、トランジスタＴＦＴ１のソース端子をキャパシタ（Ｃ）の第１端子とトランジスタＴＦＴ２のゲート端子に結合する。トランジスタＴＦＴ２のドレイン端子を正電圧（Ｖｄｄ）端子に結合し、トランジスタＴＦＴ２のソース端子をＯＬＥＤ１２０の正端子に結合する。キャパシタ（Ｃ）の第２端子を電圧（Ｖｓｓ１）端子に結合する。電圧端子（Ｖｓｓ１）に、負電圧又は接地電位を印加する。ＯＬＥＤ１２０の負端子を電圧（Ｖｓｓ）端子に結合する。電圧（Ｖｓｓ）端子にも、負電圧又は接地電位を印加する。
【０００７】
　図２は、図１に示す慣例的な駆動回路における電圧Ｖｄｄ、Ｖｓｃａｎ及びＶｄａｔａに関する電圧／時間関係を示すタイミング図である。飽和領域における第２薄膜トランジスタ（ＴＦＴ２）を動作するドレイン電流式を以下によって与える。
　Ｉｄｓ＝（１／２）×ｋ２×（ＶＧＳ−Ｖｔｈ２）２
　＝（１／２）×ｋ２×（Ｖｇ２−Ｖｄ２−Ｖｔｈ２）２
ここで、ｋ２＝μｎ×Ｃｏｘ×（Ｗ／Ｌ）２、μｎは電子移動度であり、Ｃｏｘは単位面積あたりのゲートキャパシタンスであり（μｎ及びＣｏｘは一定値を有する）、（Ｗ／Ｌ）２は第２薄膜トランジスタ（ＴＦＴ２）に関するチャネル幅／長であり、Ｖｇ２は第２薄膜トランジスタ（ＴＦＴ２）のゲート電圧であり、Ｖｄ２は第２トランジスタ（ＴＦＴ２）のドレイン電圧であり、Ｖｔｈ２は第２薄膜トランジスタ（ＴＦＴ２）のしきい値電圧である。
【０００８】
　上記式によれば、Ｖｄ２＝Ｖｓｓ＋ＶＯＬＥＤであり、ここで、ＶＯＬＥＤは発光装置１２０に印加される電圧である。電圧ＶＯＬＥＤの値が不安定の場合、発光装置１２０を駆動する電流は変化する。最終的には、これは、発光装置１２０の使用可能時間の減少を招くおそれがある。
【発明の開示】
【発明が解決しようとする課題】
【０００９】
　したがって、本発明のある目的は、表示装置の駆動回路及び駆動方法を提供することである。
【課題を解決するための手段】
【００１０】
　前記駆動回路を表示装置の元の駆動回路中に組み入れ、各々の発光装置の駆動ユニットが追加の薄膜トランジスタを有するようにする。各々の薄膜トランジスタのゲートを次のスキャンラインに接続する。前記駆動回路が前記スキャンライン上で１つずつ切り替わると、前記追加の薄膜トランジスタは、次のスキャンラインにおいて切り替わった直後、前記発光装置から放電する。したがって、前記発光装置の駆動電圧における上昇は防止され、前記装置の動作可能時間は増加する。加えて、前記追加の薄膜トランジスタのドレイン端子は、接地電位又は負電圧と結合することができる。前記ドレイン端子を負電圧に結合した場合、前記発光装置からの放電効率は改善し、前記装置の動作可能時間は一層長くなる。
【００１１】
　これら及び他の利点を達成するために、本発明の目的によれば、ここに具体化し広く説明したように、本発明は、駆動回路と、前記駆動回路を使用する表示装置とを提供する。前記駆動回路は、発光装置を駆動する。前記表示装置用駆動回路は、発光装置駆動ユニット及び放電ユニットを含む。駆動電流を前記発光装置に選択的に供給する前記発光装置駆動ユニットを前記発光装置に結合する。前記発光装置駆動ユニットが電流を供給して前記発光装置を駆動するとすぐに制御信号の電圧レベルにしたがって前記発光装置を放電する前記放電ユニットを、前記発光装置駆動ユニットに結合する。
【００１２】
　前記駆動回路は、前記発光装置駆動ユニットに結合されてスキャン信号及びデータ信号を受ける発光装置選択ユニットをさらに含む。前記スキャン信号及びデータ信号が論理レベル‘１’にある場合、前記発光装置選択ユニットは前記発光装置駆動ユニットを起動し、前記発光装置駆動ユニットが駆動電流を前記発光装置供給するようにする。
【００１３】
　本発明によれば、前記駆動回路用制御装置を、次の画素のスキャン信号によってトリガする。前記次の画素のスキャン信号が論理レベル‘１’にある場合、前記放電ユニットは前記発光装置を放電する。加えて、前記放電ユニットを接地電位又は負電圧に結合し、前記発光装置が接地又は負電圧線に放電できるようにする。
【００１４】
　本発明は、表示装置を駆動する方法も提供する。前記表示装置は複数の画素を有する。前記駆動装置を用い、各々の画素における発光装置を駆動する。駆動電流を選択的に供給し、上述した発光装置の１つを駆動する。制御信号の電圧レベルにしたがって、前記発光装置は、駆動電流によって駆動されている時に放電する。
【００１５】
　上述した方法において、前記表示装置に供給されるスキャン信号及びデータ信号にしたがって、駆動電流は特定の発光装置に受けられる。前記スキャン信号及びデータ信号が論理レベル‘１’にある場合、駆動電流は前記発光装置に受けられる。一方、前記発光装置を放電する制御信号は、次の画素のスキャン信号から得られる。
【００１６】
　上記一般的な説明と、以下の詳細な説明の双方は好例であり、請求した本発明のさらなる説明を与えることを意図する。
【発明を実施するための最良の形態】
【００１７】
　本発明の好適実施例について詳細に言及し、これらの例を添付した図面において示す。可能ならどこでも、同じ参照符を図面及び記載において使用し、同じ又は同様の部分を示す。
【００１８】
　本発明は、表示装置の駆動回路に関する。前記表示装置内に含まれる前記駆動回路は、発光装置を駆動し、光を発生する。前記発光装置を、例えば、有機発光ダイオード（ＯＬＥＤ）とすることができる。前記発光装置は、前記装置内の電子及びホールが対において再結合した場合、光エネルギーを発する。したがって、電圧を前記発光装置にしばらくの間印加した後、前記発光装置を構成する材料は減成し、延長された電荷蓄積により、より大きな電気抵抗となるかもしれない。これは、しばしば、結果として、駆動電圧の上昇を生じる。前記発光装置に関する駆動電圧の上昇により、前記発光装置を駆動するために送られる電流は減少し、前記装置の性能は低下する。最終的に、前記発光装置の有効寿命は減少する。
【００１９】
　本発明の駆動回路を表示装置の元の駆動回路内に取り付ける。薄膜トランジスタを各々の画素の駆動回路に組み入れる。各々の薄膜トランジスタのゲートを次のスキャンラインに接続する。前記駆動回路が前記スキャンライン上で１つずつ切り替わると、前記追加の薄膜トランジスタは、次のスキャンラインにおいて切り替わった直後、前記発光装置から放電する。したがって、前記発光装置の駆動電圧における上昇は防止され、前記装置の動作可能時間は増加する。加えて、前記追加の薄膜トランジスタのドレイン端子は、接地電位又は負電圧と結合することができる。前記ドレイン端子を負電圧に結合した場合、前記発光装置からの放電効率は改善し、前記装置の動作可能時間は一層長くなる。
【００２０】
　図３は、本発明の一好適実施例による表示装置内の、ある画素に関する駆動回路を示す図である。図３に示すように、画素３００は、駆動回路３１０及び発光装置３２０を含む。発光装置３２０を、有機エレクトロルミネッセントディスプレイ（ＯＥＬＤ）としても知られる有機発光ダイオード（ＯＬＥＤ）又は分子発光ダイオードとすることができる。駆動回路３１０は、発光装置選択ユニット３１１及び発光装置駆動ユニット３１３をさらに含む。発光装置選択ユニット３１１は、例えば、第１薄膜トランジスタ（ＴＦＴ１）及びキャパシタ（Ｃ）を具える。発光装置駆動ユニット３１３は、例えば、第２薄膜トランジス（ＴＦＴ２）を具える。駆動薄膜トランジスタとして知られる第２薄膜トランジスタ（ＴＦＴ２）は、駆動電流を発生し、発光ダイオード３２０を駆動する。
【００２１】
　本発明の駆動回路３１０は、放電ユニット３１５をさらに含む。放電ユニット３１５を第２薄膜トランジスタ（ＴＦＴ２）のドレイン端子に接続する。画素３００を含む前記表示装置における各々の画素は、データライン及びスキャンラインを有する。駆動回路３１０における種々の電圧端子Ｖｄｄ、Ｖｓｃａｎ及びＶｄａｔａのタイミング関係は、図２に示すものと同様である。高電圧レベル及び低電圧レベルは、対応する画素の各々のスキャンラインにおいて１回現れる。前記高電圧レベル及び低電圧レベルにおける時間の合計である完全なサイクルを、時間フレームと呼ぶ（図２において文字Ｔによって示す）。例えば、時間フレームは、よく知られている１／６０秒である。すなわち、前記発光装置は６０Ｈｚの周波数において動作し、各々の時間フレームは１画素画像を構成する。
【００２２】
　放電ユニット３１５を制御信号に接続する。放電ユニット３１５を前記制御信号によって活性化する。例えば、前記制御信号が高電圧レベルすなわち論理レベル‘１’にある場合、発光装置３２０を放電する。放電周期は、設計要求によって大部分決定される。本発明の好適実施例において、放電ユニット３１５に関する制御信号を、電流駆動回路１３０に対応する次のスキャンラインによって供給する。発光装置３２０は、前記次のスキャンライン電圧が高電圧レベルにある場合、放電する。したがって、発光装置３２０内の電荷蓄積による影響は最小になり、前記装置の動作可能時間は延びる。
【００２３】
　本発明による放電ユニット３１５を、例えば第３薄膜トランジスタ（ＴＦＴ３）を使用して実現してもよい。しかしながら、これは唯一の実現手段ではない。放電ユニット３１５は、同様の機能を行う種々の装置の集合を具えてもよい。任意の回路セットアップの主な基準は、前記回路をトリガして発光装置３２０から過剰な電荷を放電する、高電圧レベルに関する能力である。
【００２４】
　ｎスキャンラインが画素３００に対応するとする。第１薄膜トランジスタ（ＴＦＴ１）のドレイン端子をデータ電圧Ｖｄａｔａに接続する。第１薄膜トランジスタ（ＴＦＴ１）のゲート端子を、スキャン電圧Ｖｓｎを有するｎ番目のスキャンラインに接続する。第１薄膜トランジスタ（ＴＦＴ１）のソース端子を、キャパシタ（Ｃ）の第１端子と、第２薄膜トランジスタ（ＴＦＴ２）のゲート端子とに接続する。キャパシタ（Ｃ）の第２端子を電圧源Ｖｓｓ１に接続する。電圧源Ｖｓｓ１を、負電圧又は接地電位のいずれかにする。第２薄膜トランジスタ（ＴＦＴ２）のソース端子を正電圧源Ｖｄｄに接続する。第２薄膜トランジスタ（ＴＦＴ２）のドレイン端子を、発光装置３２０の正端子と、第３薄膜トランジスタ（ＴＦＴ３）のソース端子とに接続する。第３トランジスタ（ＴＦＴ３）のドレイン端子を電圧源Ｖｄｒｖに接続する。第３薄膜トランジスタ（ＴＦＴ３）のゲート端子を次のスキャンライン（すなわち、（ｎ＋１）番目のスキャンライン）のスキャン電圧源Ｖｓｎ＋１に接続する。発光装置３２０の負端子を電圧源Ｖｓｓに接続する。電圧源Ｖｓｓは、負電圧又は接地電位のいずれかを印加する。
【００２５】
　連続動作を通じての電荷蓄積により、発光装置３２０を駆動する駆動電圧は上昇する。駆動電圧の上昇を減らすために、放電ユニット３１５を、次のスキャンラインに接続することによって、図１に示すような慣例的な駆動回路中に組み入れる。前記駆動回路の順次スキャンラインスイッチング特性を使用することによって、放電ユニット３１５は、活性化信号（低電圧レベルから高電圧レベルへのスキャン電圧変化）を次のスキャンラインから受けた直後に、発光装置３２０を放電する。発光装置３２０を放電することによって、発光装置３２０の駆動電圧における電荷蓄積の影響は、最小になる。
【００２６】
　例えば、図３における第３薄膜トランジスタ（ＴＦＴ３）は、放電ユニットとして働く。トランジスタ（ＴＦＴ３）のゲート端子を次のスキャンラインに接続する。一般に、高電圧レベル及び低電圧レベルが、対応する画素の各々のスキャンラインにおいて１回現れ、完全なサイクル又は時間フレーム（図２において文字Ｔによって示される）を形成する。時間フレームを、例えば１／６０秒とする。すなわち、前記発光装置は６０Ｈｚの周波数において動作し、各々の時間フレームは１画素画像を構成する。（ｎ＋１）番目のスキャンラインがスイッチオンする準備ができている場合、新たに加えられた薄膜トランジスタ（ＴＦＴ３）は、ｎ番目のスキャンラインに対応する画素３００における発光装置３２０を放電する。最終的に、発光装置３２０の駆動電圧の上昇は防止される。
【００２７】
　上述した放電ユニット３１は、発光装置３０をグランドに放電する。他の実施例において、放電ユニット３１は、負電圧端子に接続し、放電効率を高めてもよい。例えば、第３薄膜トランジスタ（ＴＦＴ３）のドレイン端子を、接地電位又は負電圧における電圧源Ｖｄｒｖに接続してもよい。前記ドレイン端子を負電圧に接続した場合、前記発光装置からの放電レートは上昇し、ディスプレイの動作可能時間は増加する。
【００２８】
　ｎ番目のスキャンラインのスキャン電圧Ｖｓｎが高電圧レベルである場合、第１薄膜トランジスタ（ＴＦＴ１）は導通する。第２薄膜トランジスタ（ＴＦＴ２）のソース端子は電圧Ｖｄａｔａをピックアップする。飽和領域における第２薄膜トランジスタ（ＴＦＴ２）を動作するドレイン電流式を以下によって与える。
　Ｉｄｓ＝（１／２）×ｋ２×（ＶＧＳ−Ｖｔｈ２）２
　＝（１／２）×ｋ２×（Ｖｇ２−Ｖｄ２−Ｖｔｈ２）２
ここで、ｋ２＝μｎ×Ｃｏｘ×（Ｗ／Ｌ）２、μｎは電子移動度であり、Ｃｏｘは単位面積あたりのゲートキャパシタンスであり（μｎ及びＣｏｘは一定値を有する）、（Ｗ／Ｌ）２は第２薄膜トランジスタ（ＴＦＴ２）に関するチャネル幅／長であり、Ｖｇ２は第２薄膜トランジスタ（ＴＦＴ２）のゲート電圧であり、Ｖｄ２は第２トランジスタ（ＴＦＴ２）のドレイン電圧であり、Ｖｔｈ２は第２薄膜トランジスタ（ＴＦＴ２）のしきい値電圧である。
【００２９】
　ここで、Ｖｄ２＝Ｖ３２０＋Ｖｓｓであり、Ｖ３２０は発光装置３２０の正端子における電圧である。上記式にしたがって、電圧Ｖ３２０は動作期間と共に上昇し、ドレイン電流Ｉｄｓの減少を招く。しかしながら、第３薄膜トランジスタ（ＴＦＴ３）をオンに切り替えることによって、発光装置３２０は電圧Ｖｄｒｖと接続する。Ｖｄｒｖは接地電位又は負電圧のいずれかであるため、発光装置３２０内に蓄積された電荷は放電され、したがって、発光装置３２０の駆動電圧は時間と共に上昇しない。
【００３０】
　要約において、本発明は、放電ユニットを表示装置の元の駆動回路内に組み入れ、発光装置が、次のスキャンラインからのスキャン電圧によって活性化されたとき、放電できるようにする。このようにして、電荷蓄積による前記発光装置の駆動電圧の上昇は防止され、前記発光装置は、動作を通して一定の明るさを保つことができる。
【００３１】
　当業者には、本発明の構造に対する種々の変更及び変形を、本発明の範囲及び精神から逸脱することなく行うことができることは明らかであろう。上記を考慮して、本発明は、特許請求の範囲およびこれらの等価物に入るならば、本願の変更及び変形をカバーすることを意図する。
【図面の簡単な説明】
【００３２】
【図１】慣例的な表示装置内の画素の駆動回路を示す図である。
【図２】図１に示す慣例的な駆動回路における電圧Ｖｄｄ、Ｖｓｃａｎ、Ｖｄａｔａ及びＶｇ２に関する電圧／時間関係を示すタイミング図である。
【図３】本発明の一好適実施例による、表示装置内の画素の駆動回路を示す図である。
【符号の説明】
【００３３】
　１００、３００　画素
　１１０、３１０　駆動回路
　１２０、３２０　発光装置
　３１１　発光装置選択ユニット
　３１３　発光装置駆動ユニット
　３１５　放電ユニット
【図１】
2004102294.tif 000003
【図２】
2004102294.tif 000004
【図３】
2004102294.tif 000005